(57)【要約】【課題】ＰＯＳ端末による精算業務を購入者の各種の希望に応じてＩｒＤＡ決済で行うようにすることである。【解決手段】ＰＯＳ端末１５を備えた販売店側情報管理装置２と携帯端末１とにそれぞれ赤外線通信デバイス（ＩｒＤＡ）３、４による通信手段５を配設し、前記販売店側情報管理装置２の前記ＰＯＳ端末１５に前記携帯端末１によりＩｒＤＡ決済を行うか否かの選択をするとともにＩｒＤＡ決済を行うべき選択を行うと同時に締めキーとしての機能を備えた決済選択手段１６を設け、前記携帯端末１にＩｒＤＡ決済を行うか否かの設定を行う設定手段１４とを設けた。【選択図】図１
2007140649.tif 000002
【特許請求の範囲】
【請求項１】
ＰＯＳ端末を備えた販売店側情報管理装置と携帯端末とにそれぞれ赤外線通信デバイス（ＩｒＤＡ）による通信手段を配設し、前記販売店側情報管理装置の前記ＰＯＳ端末に前記携帯端末によりＩｒＤＡ決済を行うか否かの選択をするとともにＩｒＤＡ決済を行うべき選択を行うと同時に締めキーとしての機能を備えた決済選択手段を設け、前記携帯端末にＩｒＤＡ決済を行うか否かの設定を行う設定手段とを設けたことを特徴とする商品登録処理システム。
【請求項２】
前記携帯端末にはＩｒＤＡ決済時にレシートを紙により発行するか電子化レシート処理をするかの選択をするレシート発行選択手段を備えていることを特徴とする請求項１記載の商品登録処理システム。
【発明の詳細な説明】
【技術分野】
【０００１】
本発明は、ＰＯＳ端末を備えた販売店側情報管理装置と携帯端末とにそれぞれ赤外線通信デバイス（ＩｒＤＡ）による通信手段を配設してＩｒＤＡ決済を可能にした商品登録処理システムに関するものである。
【背景技術】
【０００２】
赤外線通信の標準化団体であるＩｒＤＡ（Ｉｎｆｒａｒｅｄ  Ｄａｔａ  Ａｓｓｏｃｉａｔｉｏｎ）は、２００２年１２月に、無線を使った至近距離における電子支払標準として、ＩｒＦＭ（Ｉｎｆａｎｃｉａｌ  Ｆｉｎａｎｃｉａｌ  Ｍｅｓｓａｇｉｎｇ）ｖ１．０使用を承認した。赤外線は低価格でセキュリティ確保が容易なため、至近距離で１対１の接続を行う場合に有効な技術である。全世界で通用する標準を確立することで、ユーザーは携帯電話機やＰＤＡ（携帯情報端末）を使って、支払に関する個人情報をカードリーダやＡＴＭなどに高速伝送できるものである。ＩｒＦＭ仕様は、販売店などで、クレジットカード、デビットカード、ＩＣカード、小切手などを使った無線による決済処理をその場で行う際に利用される。既存のインフラを基礎にした仕様が実現したのは、金融関連のデジタル技術を研究開発するコンソーシアム、ＦＳＴＣ（Ｆｉｎａｎｃｉａｌ  Ｓｅｒｖｉｃｅｓ  Ｔｅｃｈｎｏｌｏｇｙ  Ｃｏｎｓｏｒｔｉｕｍ）が、同仕様の開発を行うワーキンググループと初期段階から提携したため、とＩｒＤＡ（Ｉｎｆｒａｒｅｄ  Ｄａｔａ  Ａｓｓｏｃｉａｔｉｏｎ）では説明している。
【０００３】
一方、販売店における商品販売において、購入行為に基づく購入年月日情報、購入商品識別情報、購入点数情報および購入金額情報とを紙に印刷されたレシート（受取証）として発行することは慣用されているものであるが、携帯電話機を用いて電子化レシート情報としてその携帯電話機のメモリに取り込むようにした技術が開発されて特許文献１に開示されている。最も、特許文献１に開示された技術は、紙に印刷されたレシートの場合、非常に小さく薄い紙片であることから紛失することが多く、また、省資源の観点からもペーパーレス化を意図しているものであり、特に、家計簿を作成する場合に家計簿作成プログラム（ソフト）を利用することを意図して電子化レシート情報を用いるようにしているものである。この場合、携帯電話機とＰＯＳ端末を含む販売店側情報管理装置との間の通信は、無線情報通信インターフェース技術である“Ｂｌｕｅｔｏｏｔｈ”を用いていることが開示されている。また、この“Ｂｌｕｅｔｏｏｔｈ”以外の他の無線情報通信インターフェース技術として、赤外線利用データ通信方式であるＩｒＤＡ（ＩｒＤＡ  Ｃｏｎｔｒｏｌ）方式を用いることも可能であることが開示されている。
【０００４】
【特許文献１】特開２００１−２８３３３３公報
【発明の開示】
【発明が解決しようとする課題】
【０００５】
ＩｒＤＡ（Ｉｎｆｒａｒｅｄ  Ｄａｔａ  Ａｓｓｏｃｉａｔｉｏｎ）により承認されたＩｒＦＭ（Ｉｎｆａｎｃｉａｌ  Ｆｉｎａｎｃｉａｌ  Ｍｅｓｓａｇｉｎｇ）ｖ１．０は、無線を使った至近距離における電子支払標準として有効であり、優れた技術であるが、その技術は、携帯電話機やＰＤＡ（携帯情報端末）を使って、支払に関する個人情報をカードリーダやＡＴＭなどに高速伝送でき、かつ、販売店などで、クレジットカード、デビットカード、ＩＣカード、小切手などを使った無線による決済処理をその場で行う際に利用されるという基本的な技術に止まっており、具体的な商品販売における現金取引との整合性やレシート発行に対する具体的考慮、電子化レシートの処理態様等に関しては、具体的ではない。
【０００６】
また、特許文献１に記載されたものにおいては、紙に印刷されたレシートに替えて電子化レシートを発行し、かつ、携帯電話機と販売店側情報管理装置との間の通信に赤外線利用データ通信方式であるＩｒＤＡ方式を利用することまでは開示されているものの、商品販売における現金取引との整合性や電子決済業務との関係に関しては開示されていない。特に、商品販売後の決済において、現金取引やカード類による決済、及び、いずれの決済においてもレシートがどのような形で必要となるか、等の取引の多様性に対する対応については説明がなされていない。
【課題を解決するための手段】
【０００７】
請求項１記載の発明は、ＰＯＳ端末を備えた販売店側情報管理装置と携帯端末とにそれぞれ赤外線通信デバイス（ＩｒＤＡ）による通信手段を配設し、前記販売店側情報管理装置の前記ＰＯＳ端末に前記携帯端末によりＩｒＤＡ決済を行うか否かの選択をするとともにＩｒＤＡ決済を行うべき選択を行うと同時に締めキーとしての機能を備えた決済選択手段を設け、前記携帯端末にＩｒＤＡ決済を行うか否かの設定を行う設定手段とを設けた商品登録処理システムである。
【０００８】
請求項２記載の発明は、請求項１記載の商品登録処理システムにおいて、前記携帯端末にはＩｒＤＡ決済時にレシートを紙により発行するか電子化レシート処理をするかの選択をするレシート発行選択手段を備えているものである。
【発明の効果】
【０００９】
請求項１記載の発明によれば、販売店側情報管理装置のＰＯＳ端末に携帯端末によりＩｒＤＡ決済を行うか否かの選択をするとともにＩｒＤＡ決済を行うべき選択を行うと同時に締めキーとしての機能を備えた決済選択手段が設けられているため、ＩｒＤＡ決済を行う場合においても販売店側情報管理装置のＰＯＳ端末を操作するオペレータにより通常の締めキー操作と同様な作業でＩｒＤＡ決済を行うことができ、また、携帯端末においても設定手段によりＩｒＤＡ決済を行うか否かの設定を予め行っておくことによりＩｒＤＡの利用を簡単に設定することができ、これにより、ＩｒＤＡの本来の特長である近距離における１対１の通信機能によりセキュリティを確保することができるものである。
【００１０】
請求項２記載の発明によれば、取引の内容が記載されたレシートを紙により発行するのか電子化レシートとして発行するのかの選択を容易に行うことができるものである。
【発明を実施するための最良の形態】
【００１１】
本発明の実施の一態様を図１ないし図４に基づいて説明する。
【００１２】
まず、図１は、携帯電話機による携帯端末１と販売店に設置されて商取引に利用される販売店側情報管理装置２のブロック図である。これらの携帯端末１と販売店側情報管理装置２とのそれぞれには、赤外線通信デバイス（ＩｒＤＡ）３、４が設けられ、赤外線通信による近距離の通信手段５が設けられている。もちろん、前記携帯端末１側の赤外線通信デバイス（ＩｒＤＡ）３は、個々の携帯端末１に固有のものであり、前記販売店側情報管理装置２に設けられた赤外線通信デバイス（ＩｒＤＡ）４は、仕様が一致するすべての携帯端末１の赤外線通信デバイス（ＩｒＤＡ）３と交信が可能なものである。
【００１３】
しかして、前記携帯端末１には、コントローラ６が設けられ、このコントローラ６には前記赤外線通信デバイス（ＩｒＤＡ）３の他に、アンテナ７が接続された無線送受信・変復調制御部８及びメモリ９が接続されている。また、前記コントローラ６に接続されたＩ／Ｆ１０に端末側コントローラ１１が接続され、この端末側コントローラ１１の処理用のプログラム及び処理に必要なデータや処理時のデータを記憶するための記憶媒体である半導体メモリ等のメモリ１２と携帯端末１の使用者のマニュアル操作により前記端末側コントローラ１１に対して情報入力可能な操作部１３とが接続されている。また、前記端末側コントローラ１１には、前記販売店側情報管理装置２との間でＩｒＤＡ決済を行うか否かを設定するＩｒＤＡ決済設定手段１４が設けられている。このＩｒＤＡ決済設定手段１４は、携帯端末１に組み込まれた専用ソフトによるものであり、ＩｒＤＡ立上画面を表示させたのち、そのメニューからＩｒＤＡ決済を行う旨の選択をするように構成されているものである。
【００１４】
つぎに、前記販売店側情報管理装置２は、小売店等の販売店に設置されているものであり、購入者用の商品購入情報を処理するＰＯＳ端末１５を備えている。このＰＯＳ端末１５には、ＩｒＤＡ決済を宣言するためのキーと同時に締めキーとしての機能を備えた決済選択手段１６が配設されている。この決済選択手段１６は、その形状としては、テンキーその他の操作釦と同様に押し釦により形成されている。このような決済選択手段１６は、Ｉ／Ｆ１７を介して全体の処理実行用のコントローラ１８に接続されている。このコントローラ１８には、前記赤外線通信デバイス（ＩｒＤＡ）４が接続されていると共に、前記コントローラ１８の処理プログラム及び処理時のデータ等を記憶するメモリ１９が接続されている。
【００１５】
図２は、携帯端末１における紙レシート発行希望の設定状態を示す模式図である。この携帯端末１における紙レシート発行希望の設定２０は、ＩｒＤＡ決済のときに、紙レシートを発行するか否かが設定されている。この設定が可のときは、紙レシートを発行し、否のときは、電子化レシートを購入者の携帯端末１に送信する。
【００１６】
図３は、ＩｒＤＡ決済のときの電子化レシートのメモリエリアを示す模式図である。この電子化レシート２１の内容は、購入年月日・時刻、店コード、商品コード・点数、商品単価・合計金額等である。
【００１７】
図４は、本発明における精算業務とレシートの発行有無の状態とを示すフローチャートである。
【００１８】
このような構成において、販売店において商品を購入した購入者は、その精算時に、販売店側情報管理装置２を操作するオペレータにＩｒＤＡ決済をするか否かを伝える（ステップＳ１）。オペレータにＩｒＤＡ決済をするか否かを伝えるタイミングは、精算開始時でも良いし、小計後でも良い。ＩｒＤＡ決済でないときには（ステップＳ１のＮ）、その他の決済処理となる。例えば、現金による精算か、あるいは、カードによる精算（ステップＳ６）になる。これらの決済処理の後、購入年月日、商品コード、購入商品の点数、商品単価及びその合計金額等を印刷した紙によるレシートが発行され（ステップＳ７）、購入者に手渡しされることにより精算業務を終了する。一方、購入者によりＩｒＤＡ決済のときは（ステップＳ１のＹ）、オペレータは、押し釦による決済選択手段１６を押す（ステップＳ２）。この決済選択手段１６は、一回の取引の締めを行う締めキーとしての機能をも有しているので、一人の購入者に対する購入の締めとなる。販売店側情報管理装置２のＰＯＳ端末の客面表示に、顧客の所有する携帯端末１を赤外線通信デバイス（ＩｒＤＡ）４にかざすように指示する旨の表示を行う（ステップＳ３）。この状態において、購入者は自分が所有する携帯端末１の赤外線通信デバイス（ＩｒＤＡ）３を販売店側情報管理装置２の赤外線通信デバイス（ＩｒＤＡ）４にかざす。これにより、通信手段５として成立している赤外線通信デバイス（ＩｒＤＡ）３、４の間で情報交換がなされるが、携帯端末１側では予め、紙レシート発行希望の設定２０によりレシート発行を希望するか否かの情報が設定されており、販売店側情報管理装置２ではこの情報に従ってその後の動作を行う（ステップＳ４）。すなわち、ＩｒＤＡ決済においても紙によるレシート発行を希望する場合には（ステップＳ４のＹ）、金銭授受のみがＩｒＤＡ決済され、レシートの発行は、紙に印刷された状態で発行され、精算業務を終了する。一方、ＩｒＤＡ決済において、紙によるレシート発行を希望しない場合には（ステップＳ４のＮ）、電子化レシート２１が作成されて携帯端末１へデータが送信され、携帯端末１のメモリ９に記憶される（ステップＳ５）ことにより精算業務を終了する。
【００１９】
このようにして実行されるＩｒＤＡ決済は、近距離における１対１の交信であることからセキュリティが確保され、安全である。
【図面の簡単な説明】
【００２０】
【図１】本発明の実施の態様を示すもので、携帯端末と販売店側情報管理装置とのブロック図である。
【図２】携帯端末の紙レシート発行希望の設定を示す模式図である。
【図３】電子化レシートの模式図である。
【図４】精算業務とレシートの発行有無の状態とを示すフローチャートである。
【符号の説明】
【００２１】
１    携帯端末、２    販売店側情報管理装置、３    赤外線通信デバイス（ＩｒＤＡ）、４    赤外線通信デバイス（ＩｒＤＡ）、５    通信手段、１４    設定手段、１５    ＰＯＳ端末
【図１】
2007140649.tif 000003
【図２】
2007140649.tif 000004
【図３】
2007140649.tif 000005
【図４】
2007140649.tif 000006